(57)【要約】【課題】紙媒体のドキュメントを不要にしてコストを低減すると共に、オペレータを目的の電子ドキュメントに誘導すること。【解決手段】ネットワーク上に各機種の仕様毎に電子ドキュメントが用意されたミシンであって、ベッドに立設されたミシン本体と、ミシン本体に設けられた外装材とを備え、型式銘板には、ドキュメントの管理ページのアドレスを示す２次元コードが付される構成にした。これにより、ミシンのメーカ側では紙媒体のドキュメントを不要にしてコストが低減され、ユーザ側ではドキュメントの管理や閲覧を容易にして作業性が向上される。【選択図】図３
2018153597.tif 000002
【特許請求の範囲】
【請求項１】
ネットワーク上に各機種の仕様毎にドキュメントが用意されたミシンであって、
ベッドに立設されたミシン本体と、
前記ミシン本体に設けられた外装材とを備え、
前記外装材には、ドキュメントの管理ページのアドレスを示す２次元コードが付されていることを特徴とするミシン。
【請求項２】
前記外装材が、同系列の機種で共通の機種名が付された型式銘板であることを特徴とする請求項１に記載のミシン。
【請求項３】
前記管理ページが、機種毎に用意された仕様選択ページであり、仕様選択ページの下層でドキュメントが公開されていることを特徴とする請求項２に記載のミシン。
【請求項４】
前記管理ページが、言語選択ページであり、言語選択ページの下層は仕様選択ページであり、仕様選択ページの下層でドキュメントが公開されていることを特徴とする請求項２に記載のミシン。
【請求項５】
前記２次元コードが、前記管理ページのアドレスのデータ量が格納可能なセル数で、前記型式銘板の余白に収まるような大きさに制限されたＱＲコードであることを特徴とする請求項２から請求項４のいずれかに記載のミシン。
【請求項６】
仕様コードを除いた機種名によって前記型式銘板の余白が形成されていることを特徴とする請求項２から請求項５のいずれかに記載のミシン。
【請求項７】
請求項１から請求項６のいずれかに記載のミシンと、
前記ミシンのＱＲコードで示す前記管理ページで電子ドキュメントを公開するサーバとを備えることを特徴とするドキュメント管理システム。
【発明の詳細な説明】
【技術分野】
【０００１】
本発明は、各種ドキュメントが用意されたミシン、ミシン用のドキュメント管理システムに関する。
【背景技術】
【０００２】
一般にミシンは、ベッドに立設したミシン本体の外面に糸掛け、糸調子器、天秤等が設けられ、ミシン本体のヘッドには縫い針や押え金が上下動可能に設けられている（例えば、特許文献１参照）。ミシン本体の糸立てには上糸ボビンがセットされ、上糸ボビンから繰り出された上糸が糸掛け、糸調子、天秤等を経て縫い針に通されている。ベッドの下側には、下糸ボビンのボビンケースがセットされた回転釜が設けられており、縫い針の上下動と回転釜の回転動が協働することで上糸と下糸が交差されて布地に対して縫い目が形成される。
【０００３】
このようなミシンには、各機種の仕様毎に取扱説明書やパーツリスト等の各種ドキュメントが紙媒体で用意されている。また、近年では、各メーカのＷｅｂサイトにミシンの仕様毎に各種ドキュメントがアップロードされており、電子データでドキュメントを閲覧できるようになっている。
【先行技術文献】
【特許文献】
【０００４】
【特許文献１】特開２００８−２４５７３３号公報
【発明の概要】
【発明が解決しようとする課題】
【０００５】
ところで、メーカのＷｅｂサイトにはミシンの各機種の仕様毎にパーツリストやサービスマニュアルなどのドキュメントが公開されているが、サイトのトップページから目的のドキュメントの公開ページに辿り着くのが容易ではなかった。一方で、各機種の仕様毎に紙媒体でドキュメントを用意すると、メーカ側ではコストが増加すると共に、ユーザ側ではドキュメントが嵩張って管理が煩雑になる。さらに、ミシンの調整作業などを行う際には、ドキュメントを紙媒体で持ち運ばなければならず負担になっていた。
【０００６】
本発明はかかる点に鑑みてなされたものであり、紙媒体のドキュメントを不要にしてコストを低減すると共に、オペレータを目的のドキュメントに誘導することができるミシン、ドキュメント管理システムを提供することを目的の１つとする。
【課題を解決するための手段】
【０００７】
本発明の一態様のミシンは、ネットワーク上に各機種の仕様毎にドキュメントが用意されたミシンであって、ベッドに立設されたミシン本体と、前記ミシン本体に設けられた外装材とを備え、前記外装材には、ドキュメントの管理ページのアドレスを示す２次元コードが付されていることを特徴とする。
【０００８】
この構成によれば、携帯端末で外装材の２次元コードを読み取ることで、携帯端末がドキュメントの管理ページにアクセスする。紙媒体のドキュメントを持ち運ぶ必要が無く、現場にいたままで管理ページからドキュメントの内容を確認することができる。よって、ミシンのメーカ側では紙媒体のドキュメントを不要にしてコストが低減され、ユーザ側ではドキュメントの管理や閲覧を容易にして作業性が向上される。
【０００９】
本発明の一態様のミシンにおいて、前記外装材は、同系列の機種で共通の機種名が付された型式銘板である。この構成によれば、型式銘板を利用して、ミシンに２次元コードを付すことができる。また、型式銘板には機種名が文字列で付されているため、型式銘板に２次元コードが付されても機種名の文字が読み難くなることがない。すなわち、型式銘板に２次元コードを付すことで、型式銘板の本来の役割を損なうことなく、各機種の管理ページにオペレータを容易に導くことができる。
【００１０】
本発明の一態様のミシンにおいて、前記管理ページが、機種毎に用意された仕様選択ページであり、仕様選択ページの下層でドキュメントが公開されている。この構成によれば、型式銘板に付された２次元コードのリンク先を仕様選択ページにすることで、仕様選択ページの下層で複数の仕様のドキュメントを管理することができる。よって、複数の仕様で型式銘板を共通化してコストを低減でき、さらに後から仕様選択ページに新たな仕様を容易に追加することができる。
【００１１】
本発明の一態様のミシンにおいて、前記管理ページが、言語選択ページであり、言語選択ページの下層は仕様選択ページであり、仕様選択ページの下層でドキュメントが公開されている。この構成によれば、型式銘板に付された２次元コードのリンク先を言語選択ページにすることで、言語選択ページの下層で複数の言語のドキュメントを管理することができる。さらに、後から言語選択ページに新たな言語のドキュメントを容易に追加することができる。
【００１２】
本発明の一態様のミシンにおいて、前記２次元コードが、前記管理ページのアドレスのデータ量が格納可能なセル数で、前記型式銘板の余白に収まるような大きさに制限されたＱＲコードである。この構成によれば、型式銘板の余白を有効利用でき、型式銘板のサイズ変更が不要なため、既存の型式銘板に２次元コードを付すことができる。
【００１３】
本発明の一態様のミシンにおいて、仕様コードを除いた型式によって前記型式銘板の余白が形成されている。この構成によれば、型式銘板から仕様コードを除くことで、２次元コード用に余白を広げることができる。
【００１４】
本発明の一態様のドキュメント管理システムは、上記に記載のミシンと、前記ミシンのＱＲコードで示す前記管理ページでドキュメントを公開するサーバとを備える。この構成によれば、ミシンに付された２次元コードから機種毎の管理ページに容易にアクセスでき、ミシンのメーカ側のコストを低減できると共に、ユーザ側のドキュメントの管理や閲覧を容易にすることができる。
【発明の効果】
【００１５】
本発明によれば、ミシンの外装材に２次元コードを付すことで、紙媒体のドキュメントを不要にしてコストを低減すると共に、オペレータを目的のドキュメントに誘導することができる。
【図面の簡単な説明】
【００１６】
【図１】本実施の形態のミシンの正面図である。
【図２】本実施の形態の型式銘板の正面図である。
【図３】本実施の形態のドキュメント管理システムの模式図である。
【図４】本実施の形態の管理サイトの一例を示す図である。
【図５】本実施の形態の管理サイトの他の一例を示す図である。
【発明を実施するための形態】
【００１７】
以下、添付図面を参照して、本実施の形態のミシンについて説明する。図１は、本実施の形態のミシンの正面図である。なお、本実施の形態のミシンは一例に過ぎず、適宜変更が可能である。
【００１８】
図１に示すように、ミシン１０は、布地が載置されるベッド１５にミシン本体２０が立設されている。ミシン本体２０は、鋳鉄等で中空に形成されており、ベッド１５から立ち上がる立胴部２１と、立胴部２１の上部から側方に延びるアーム部３１とで構成されている。立胴部２１の正面には、布地の送り量を調整するための送りダイヤル２２と、布地の送り方向を逆転させる逆送りレバー２３とが設けられている。また、立胴部２１の側面には、手動で縫い針３８を上下動させる際に用いられるプーリ２４が設けられている。
【００１９】
アーム部３１の上面には液晶パネル３２が設けられると共に、上糸ボビンがセットされる糸立て３３が立設されている。アーム部３１の正面には、上糸をガイドする数種類の糸掛け３４と、上糸のテンションを調整する糸調子３５と、上糸を引き上げる天秤３６とが設けられている。アーム部３１の先端のヘッド３７には、縫い針３８や押え金３９が上下動可能に設けられており、上糸ボビンから繰り出された上糸が糸掛け３４、糸調子３５、天秤３６等を介して縫い針３８の孔に導かれている。ベッド１５内には、下糸ボビンを収容した回転釜（不図示）が設けられており、縫い針３８の上下動に合わせて回転釜が回転動されている。
【００２０】
通常、このようなミシン１０には、機種（モデル）毎に仕様（例えば厚物用や薄物用など）が発表されており、仕様毎に取扱説明書等の各種ドキュメントが紙媒体で用意されている。また、立胴部２１には型式銘板４１と呼ばれる機種や仕様、製造番号等が付されたプレートが取り付けられており、型式銘板４１に付された機種や仕様によって必要なドキュメントを確認することができる。紙媒体のドキュメントは、メーカ側でコストが増加すると共にユーザ側で管理や持ち運び等の煩わしさが負担になるため、メーカのサイトで仕様毎に電子データでドキュメントが公開されている。
【００２１】
しかしながら、取扱説明書等のドキュメントはサイトのトップページには公開されず、トップページよりも十分に深い階層で公開されるのが通常である。このため、オペレータが現場で携帯端末等を用いてメーカのサイトにアクセスしても、サイトのトップページからドキュメントの管理ページに辿り着くのが容易ではない。ドキュメントの管理ページのアドレス（ＵＲＬ）をＱＲコード（登録商標）としてミシン１０の外面に表示することも考えられる。オペレータの携帯端末のアプリケーションにＱＲコードを読み取らせて、管理ページに誘導できるが、ミシン１０の外面に直にＱＲコードを付すことは難しい。
【００２２】
上記したように、ミシン本体２０のフレームが鋳鉄製で外面が凹凸のある鋳肌になっているため、ミシン本体２０の外面にＱＲコードを付すことができない。ミシン１０の外観には様々な外装材が取り付けられているが、外装材に付された各種情報の視認性やデザイン性の妨げにならないようにＱＲコードを付す必要がある。ここで、型式銘板４１には機種名や製造番号等の文字列が付されているが、型式銘板４１にＱＲコードを付しても文字列が読み難くなることがない。また、型式銘板４１はプレート状であるため、型式銘板４１の表面にＱＲコードを付し易く、ＱＲコードの追加が型式銘板４１のデザイン性を悪化させることもない。また、型式銘版４１は全てのミシンに取り付けられているため、ＱＲコードを付す外装材としては最適である。
【００２３】
さらに、型式銘板４１には機種名が付されているため、機種の関連ドキュメントの管理ページを示すＱＲコードが付されていても違和感がない。型式銘板４１にＱＲコードのリンク先のアドレスについて敢えて説明文を記載しなくても、各機種に関連したページのアドレスを示すことがオペレータに明確であり、余計な情報を省略できる分だけ型式銘板４１の表示をシンプルにすることができる。そこで、本実施の形態のミシン１０では、外装材としての型式銘板４１にドキュメントの管理ページを示すＱＲコードを付して、ドキュメントの管理ページにオペレータを誘導するようにしている。
【００２４】
以下、図２を参照して、型式銘板について説明する。図２は、本実施の形態の型式銘板の正面図である。
【００２５】
図２に示すように、型式銘板４１は正面視横長形状のアルミニウム製のプレートであり、塗装された白色部分とアルミニウム地の銀色部分で上下２つに色分けされている。型式銘板４１の上側の白色部分には機種名４３を示す文字列及びＱＲコード４２が付されており、型式銘板４１の下側の銀色部分には製造番号が打刻される。白色部分にＱＲコード４２が黒色で付されているため、コントラストが明確になって携帯端末でＱＲコード４２が読み取り易くなっている。また、型式銘板４１の左右両端側には一対の取付孔４４が形成されており、一対の取付孔４４を介してミシン本体２０に型式銘板４１が取り付けられる。
【００２６】
型式銘板４１には機種名４３の隣にＱＲコード４２が表示されるが、ＱＲコード４２の大きさ（バージョン）は機種名４３の隣の余白によって制限されている。この場合、仕様コードを除いた型式銘によって型式銘板４１に余白を形成するようにしてもよい。機種名４３の文字数を少なくすることで、機種名４３の隣の二次元コード用の余白の横幅を広げることができる。また、機種名４３の文字数を減らすことで余白の横幅を広げることができるが、ＱＲコード４２には正方形の余白が必要であるため、型式銘板４１の白色部分の縦サイズによって制限される。
【００２７】
また、ＱＲコード４２はセル数によって格納可能なデータ量が決まっており、セル数によってＱＲコード４２の表示必要な大きさが決定される。このため、本実施の形態の型式銘板４１では、ＱＲコード４２の大きさが管理ページのアドレスのデータ量を格納可能なセル数で、型式銘板４１の余白に収まるように制限されている。この場合、管理ページのアドレスの長さ、ＱＲコード４２の誤り訂正レベル、１セル当たりの大きさ等を調整して型式銘板４１の余白に収めている。型式銘板４１の余白を有効利用でき、さらに型式銘板４１のサイズ変更も不要なため、既存の型式銘板４１にＱＲコード４２を付すことができる。
【００２８】
例えば、型式銘板４１の寸法は横５８ｍｍ×縦２９ｍｍであり、白色部分の印字範囲は横５８ｍｍ×縦１８ｍｍに設定されている。また、ＱＲコード４２の寸法は、白色部分の印字範囲に収まるようなサイズであればよく、特に見易さを考慮して横１１．５ｍｍ×縦１１．５ｍｍに設定されることが好ましい。このサイズであれば、ＱＲコード４２を強調し過ぎることがなく、デザイン性等を損なうことがない。また、印刷不良、携帯端末による読取不良を考慮して解像度になるように、管理ページのアドレスの文字数が４０文字に制限されている。例えば、管理ページのアドレスは「http://www.juki.co.jp/manual/ism/**（**は機種名に応じて付与される社内管理番号）」に設定されている。
【００２９】
このように、同系列の機種で共通の機種名４３が付された型式銘板４１を外装材として利用し、型式銘板４１にドキュメントの管理ページのアドレスを示すＱＲコード４２を付している。よって、既存の型式銘板４１を利用して、ミシン１０（図１参照）にＱＲコード４２を付すことができる。また、型式銘板４１にＱＲコード４２が付されても、ＱＲコード４２が文字列と混同するような形状ではないため、ＱＲコード４２の存在によって機種名４３の文字列が読み難くなることがない。よって、型式銘板４１にＱＲコード４２を付すことで、型式銘板４１の本来の役割を損なうことなく、各機種の管理ページにオペレータを導くことができる。
【００３０】
また、オペレータに携帯端末でＱＲコード４２を読み取らせる場合には、リンク先のアドレスが分かるように、ＱＲコード４２と共にリンク先のアドレスや説明文を付けることが一般的である。しかしながら、型式銘板４１で機種名４３の隣にＱＲコード４２が付されているため、ＱＲコード４２が機種名４３の関連ページにリンクしていることを、説明文やアドレスを付けなくてもオペレータに認識させることができる。また、アドレスや説明文が不要であるため、型式銘板４１をシンプルなデザインにすることができ、型式銘板４１の付された機種名４３を強調することができる。
【００３１】
図３及び図４を参照して、ミシンのドキュメント管理システムについて説明する。図３は、本実施の形態のドキュメント管理システムの模式図である。図４は、本実施の形態の管理サイトの一例を示す図である。
【００３２】
図３に示すように、ドキュメント管理システム１は、型式銘板４１が取り付けられたミシン１０と、機種毎のドキュメントの管理サイトを提供するサーバ５０とを備えている。ドキュメント管理システム１では、オペレータが携帯端末５５でミシン１０の型式銘板４１のＱＲコード４２（図２参照）を読み取ることで、ネットワーク（インターネット）を介して携帯端末５５がサーバ５０の管理サイトにアクセスする。管理サイトでは、機種毎に用意された仕様選択ページをドキュメントの管理ページに設定しており、仕様選択ページの下層で目的の仕様に関連したドキュメントが公開されている。
【００３３】
例えば、図４に示すように、管理サイトは４階層の階層構造であり、各層が条件選択のリンクで関連付けられている。管理ページである第１層目のトップページには各機種の仕様選択のリンクが設定され、第２層目のページには仕様毎に言語選択のリンクが設定されている。第３層目のページには言語毎にミシン１０（図３参照）の部位選択のリンクが設定され、第４層目のページにはミシン１０の部位毎に各種ドキュメントが公開されている。このように、仕様選択ページから条件選択のリンクで下層ページに移動することで、目的のドキュメントにオペレータを誘導している。
【００３４】
また、本実施の形態では、仕様毎では無く、機種毎に管理ページが用意されており、管理ページを仕様選択ページにして仕様選択から条件選択を開始するようにしている。型式銘板４１（図３参照）に付されたＱＲコードのリンク先が仕様選択ページになることで、複数の仕様のドキュメントを同じ管理ページで管理することができる。よって、複数の仕様で型式銘板４１を共通化してコストを低減でき、さらに後から仕様選択ページに新たな仕様を容易に追加することができる。なお、仕様が１種類の場合には、言語選択ページをドキュメントの管理ページに設定してもよい。
【００３５】
以上のように、本実施の形態のミシン１０では、携帯端末５５で型式銘板４１のＱＲコード４２を読み取ることで、携帯端末５５がドキュメントの管理ページにアクセスする。オペレータが現場に紙媒体のドキュメントを持ち運ぶ必要が無く、現場にいたままで管理ページからドキュメントの内容を確認することができる。よって、メーカ側では紙媒体のドキュメントを不要にしてコストが低減され、ユーザ側ではドキュメントの管理や閲覧を容易にして作業性が向上される。
【００３６】
なお、本実施の形態では、管理サイトで仕様選択ページをドキュメントの管理ページに設定する構成について説明したが、この構成に限定されない。管理サイトでは、言語選択ページをドキュメントの管理ページに設定して、言語選択ページの下層で目的の仕様に関連したドキュメントが公開されてもよい。
【００３７】
例えば、図５に示すように、管理ページである第１層目のトップページには各機種の言語選択のリンクが設定され、第２層目のページには言語毎に仕様選択のリンクが設定されている。第３層目のページには仕様毎にミシン１０（図３参照）の部位選択のリンクが設定され、第４層目のページにはミシン１０の部位毎に各種ドキュメントが公開されている。言語選択ページから条件選択のリンクで下層ページに移動することで、目的のドキュメントにオペレータを誘導している。このように、管理ページを言語選択ページにして言語選択から条件選択を開始することも可能である。
【００３８】
また、本実施の形態において、２次元コードとしてＱＲコードを例示して説明したが、この構成に限定されない。２次元コードは、ドキュメントの管理ページのアドレスを示すものであればよく、例えば、バーコード、スタック型２次元コード、マトリクス型２次元コードで構成されてもよい。スタック型２次元コードとしては、例えば、ＰＤＦ４１７（登録商標）、ＣＯＤＥ４９（登録商標）が用いられてもよいし、マトリクス型２次元コードとしては、ＤａｔａＭａｔｒｉｘ（登録商標）、ＶｅｒｉＣｏｄｅ（登録商標）が用いられてもよい。
【００３９】
また、本実施の形態において、外装材として型式銘板に２次元コードを付す構成にしたが、この構成に限定されない。外装材はミシン本体に設けられたものであればよく、ミシン本体に付着されたシール等の表示材や、液晶パネル等の表示装置であってもよい。液晶パネルの余白部分に２次元コードが印刷されてもよいし、液晶パネルの画面に２次元コードが表示されてもよい。したがって、２次元コードを付すとは、外装材に印刷するだけでなく、外装材が表示することも含んでいる。
【００４０】
また、本実施の形態において、管理ページのアドレスとして仕様選択ページを例示して説明したが、この構成に限定されない。管理ページは、ドキュメントを管理するページであればよく、例えば、ドキュメントの公開ページであってもよい。
【００４１】
また、本実施の形態において、型式銘板に機種名が横一列に付される構成にしたが、この構成に限定されない。型式銘板の機種名は改行して表示されてもよい。これにより、機種名の隣の余白を広げることができる。
【００４２】
また、本発明の実施の形態及び変形例を説明したが、本発明の他の実施の形態として、上記実施の形態及び変形例を全体的又は部分的に組み合わせたものでもよい。
【００４３】
また、本発明の実施の形態は上記の実施の形態及び変形例に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施態様をカバーしている。
【００４４】
また、本発明の実施の形態では、本発明をミシンに適用した構成について説明したが、２次元コードを付すことが可能な余白が空いた外装材が設けられていればよく、各機種の仕様毎にドキュメントが用意された他の生産機器に適用することが可能である。
【００４５】
さらに、上記実施形態では、ネットワーク上に各機種の仕様毎にドキュメントが用意されたミシンであって、ベッド１５に立設されたミシン本体２０と、ミシン本体２０に設けられた型式銘板４１とを備え、型式銘板４１には、ドキュメントの管理ページのアドレスを示すＱＲコード４２が付されている。この構成によれば、携帯端末５５で型式銘板のＱＲコード４２を読み取ることで、携帯端末がドキュメントの管理ページにアクセスする。オペレータが現場に紙媒体のドキュメントを持ち運ぶ必要が無く、現場にいたままで管理ページからドキュメントの内容を確認することができる。よって、ミシン１０のメーカ側では紙媒体のドキュメントを不要にしてコストが低減され、ユーザ側ではドキュメントの管理や閲覧を容易にして作業性が向上される。
【産業上の利用可能性】
【００４６】
以上説明したように、本発明は、紙媒体のドキュメントを不要にしてコストを低減すると共に、オペレータを目的のドキュメントに誘導することができるという効果を有し、特に、サイクルミシン等の工業用のミシンや、ミシン用のドキュメント管理システムに有用である。
【符号の説明】
【００４７】
１  ドキュメント管理システム
１０  ミシン
１５  ベッド
２０  ミシン本体
４１  型式銘板（外装材）
４２  ＱＲコード（２次元コード）
４３  機種名
５０  サーバ
５５  携帯端末
【図１】
2018153597.tif 000003
【図２】
2018153597.tif 000004
【図３】
2018153597.tif 000005
【図４】
2018153597.tif 000006
【図５】
2018153597.tif 000007